(57)【要約】ビデオを早送り／巻き戻しする際にビデオソースの映像要約を作成するための方法及びシステムにおいては、まず自動的又は手動で、フレームが抽出され、初期映像要約が作成される。この抽出されたフレームには一連の重みが付与され、続いてこれらのフレームは相互の重み付けの関係に応じてフィルタ処理され、これにより変更映像要約が作成される。次に、ビデオソースが早送り／巻き戻しされる際にキーフレームが適切に表示されるようキーフレーム表示速度が早送り／巻き戻し速度に応じて調整される。ここでの早送り／巻き戻し速度は標準的な速度又はユーザによって指定された速度であってよい。なお、これらキーフレームは選択画像あるいは音声に置き換えられることが可能であり、これにより宣伝側は、ユーザが早送り／巻き戻しによりコマーシャルをとばしている際にもこのユーザに宣伝商品の画像及び／又は端的な音声による説明などを提供することができる。
2005518123.tif 000002
【特許請求の範囲】
【請求項１】
ビデオソースのビデオコンテンツの映像要約を自動作成する方法であって、
（ａ）所定の基準に基づいてビデオソースのシーンを表す複数のキーフレームを自動抽出して初期映像要約を作成するステップ、
（ｂ）前記ステップ（ａ）で抽出される前記初期映像要約のキーフレームのうちの前記ビデオソースにおける特定のシーンを表す特定グループに属するキーフレームに重み付けを行うステップ、
（ｃ）前記ビデオソースにおける特定のシーンを表す特定グループに属するキーフレームのうち前記ステップ（ｂ）において大きな重みが付与されたキーフレームに比べて小さな重みが付与されたキーフレームをフィルタすることによって前記初期映像要約を修正し、変更映像要約を作成するステップ、及び
（ｄ）前記ビデオソースが早送り／巻き戻しされる間に前記変更映像要約のキーフレームが表示されるように前記ビデオソースの早送り／巻き戻し速度に応じて前記変更映像要約のキーフレーム表示速度を調整するステップを有することを特徴とする方法。
【請求項２】
前記重み付けステップ（ｂ）は、前記ビデオソースの前記特定シーンにおいて前記特定グループのキーフレームのそれぞれが表す相対時間に基づいて重み付けを行う工程を含むことを特徴とする請求項１記載の方法。
【請求項３】
前記特定グループに属するキーフレームのうち前記ビデオソースの特定シーンにおいて所定閾値時間よりも短い時間を表すキーフレームはフィルタされることを特徴とする請求項２記載の方法。
【請求項４】
前記キーフレーム表示速度は、ユーザ指定のビデオソース早送り／巻き戻し速度に応じて調整されることを特徴とする請求項１記載の方法。
【請求項５】
前記キーフレーム表示速度の調整ステップ（ｄ）は、前記変更映像要約に早送り／巻き戻しの際に出力される音声を提供する工程を含むことを特徴とする請求項１記載の方法。
【請求項６】
前記キーフレーム表示速度の調整は、個々のキーフレームを前記特定シーンにおける動きをとらえた短いフレームセットに置き換える工程を含むことを特徴とする請求項１記載の方法。
【請求項７】
前記キーフレームの重み付けはユーザ特定趣向に基づいて行われることを特徴とする請求項１記載の方法。
【請求項８】
前記ユーザ特定趣向は前記ビデオソースにおける特定俳優の画像を含むことを特徴とする請求項７記載の方法。
【請求項９】
前記ユーザ特定趣向は前記ビデオソースにおける特定俳優の動きを含むことを特徴とする請求項７記載の方法。
【請求項１０】
（ｃ）前記ステップ（ａ）で指定されたキーフレームに音声部分を提供するステップを更に有することを特徴とする請求項１記載の方法。
【請求項１１】
前記音声部分は前記指定されたキーフレーム応じてカスタマイズされた代替音声部分に相当することを特徴とするう請求項１０記載の方法。
【請求項１２】
前記ステップ（ｃ）は、複数の音声部分を提供する工程を含み、前記複数の音声部分のうち前記ステップ（ｂ）で得られたキーフレームの表示速度に対応する特定音声部分が選択されることを特徴とする請求項１０記載の方法。
【請求項１３】
前記ステップ（ａ）で指定されたキーフレームの一部は宣伝を構成することを特徴とする請求項１記載の方法。
【請求項１４】
前記代替音声部分は、
（１）前記宣伝を構成する前記一部のキーフレームにおいて宣伝される商品の記述、又は
（２）前記宣伝を構成する前記一部のキーフレームにおいて宣伝される商品の名称の発音、のうちの１つを構成することを特徴とする請求項１３記載の方法。
【請求項１５】
前記ステップ（ａ）は、前記映像要約に前記ビデオソースを派生源としないユーザ作成キーフレームを少なくとも１つ提供する工程を含むことを特徴とする請求項１記載の方法。
【請求項１６】
前記少なくとも１つのユーザ作成キーフレームは宣伝を構成することを特徴とする請求項１５記載の方法。
【請求項１７】
ビデオソースのビデオコンテンツの映像要約を自動作成するシステムであって、
ビデオソースのシーンを表す複数のキーフレームを所定の基準に基づいて抽出して初期映像要約を作成するための抽出手段、
前記抽出手段によって抽出されたキーフレームのうち前記初期映像要約において前記ビデオソースの特定シーンを表す特定グループに属するキーフレームにそれぞれ重みを付与するための重み付け手段
前記ビデオソースの特定シーンを表す前記特定グループのキーフレームのうち大きな重みが付与されたキーフレームに比べてより小さな重みが付与されたキーフレームをフィルタすることによって前記初期映像要約を変更映像要約に修正するための修正手段、及び
前記ビデオソースが早送り／巻き戻しされる間に前記変更映像要約のキーフレームが表示されるように前記ビデオソースの早送り／巻き戻し速度に応じて前記変更映像要約のキーフレーム表示速度を調整するための調整手段を有することを特徴とするシステム。
【請求項１８】
前記抽出手段は前記ビデオソースを表すキーフレームを手動でしてする手段を構成することを特徴とする請求項１７記載のシステム。
【請求項１９】
前記抽出手段は自動抽出手段を構成することを特徴とする請求項１７記載のシステム。
【請求項２０】
前記重み付け手段は前記特定グループのキーフレームのそれぞれによって表される相対タイムスパンに基づいて各キーフレームに重みを付与することを特徴とする請求項１７記載のシステム。
【請求項２１】
前記キーフレーム表示速度調整手段はユーザ指定のビデオソース早送り／巻き戻し速度に応じて表示速度を調整することを特徴とする請求項２０記載のシステム。
【発明の詳細な説明】
【技術分野】
【０００１】
本発明は一般にビデオコンテンツの要約を提供するためにビデオのキーフレームを適用する技術に関し、特にキーフレーム・コンテンツの拡張に関する。
【背景技術】
【０００２】
デジタル符号化ビデオ（例えばＤＶＤなど）の普及と、まだまだ続くビデオテープの人気に伴い、予め録音されたビデオ及びユーザにより作成されるビデオの両方について、番組の放送では認識されなかったいくつか問題点が明らかになった。
【０００３】
宣伝側にとって問題視されるのは、ユーザがビデオで番組を見る場合宣伝をとばすことができる点である（これはデジタル形式及びアナログ形式の両方に当てはまる）。以前からホームユーザはテレビ番組やスポーツ中継などの録画を見る際、コマーシャルの部分は早送りすることが知られている。また、あらかじめ記録されたビデオについても所望の番組が提示される前に５分程度の宣伝が含まれている場合が多くある。これらのビデオの購入者又は貸出人もこのような宣伝を早送りするかとばすなどして、これらの宣伝を邪魔扱いする。
【０００４】
ホームユーザにとって問題視されるのは、映画、インタビュー、テレビ番組、コンサート、スポーツ中継など様々なビデオコンテンツが膨大な量になってしまう点である。ユーザの録画したビデオには多くの場合関連性のない様々なアイテムを含む。このような関連性のないアイテムの録画は、例えばユーザがとっさに最も近くにある録画媒体を記録装置に挿入し現在見ている番組を保存しようとするなどといったユーザの衝動的な行動の結果として生じうる。また、ホームユーザは画質などをある程度犠牲にしてでも標準ＶＨＳテープなどに６時間程度の録画時間を確保することを選ぶことが多い。そのためこのようなビデオにおいて目的のビデオ映像部分を検索するのは厄介である。
【０００５】
また、ホームユーザにとって上記と同程度に問題視されるのは、ビデオテープやＤＶＤに予め記録されコンテンツであれユーザによって記録されたコンテンツであれ、番組、ショー、スポーツ中継などのコンテンツの特定箇所を見たいという点である。この問題はビデオディスクの記憶容量が増大し、より多くのデータが単一のディスクに記憶可能になるにつれていっそう大きくなる。
【０００６】
従来技術においては、音声やテキストなどをも含むことが可能なコンテンツの映像要約、映像インデックス、及び／又は映像テーブルを作成するためにあるシーンの代表フレームに相当するいわゆるキーフレームが使用されている。Ｄｉｍｉｔｒｏｖａ  ｅｔ  ａｌ．による特許文献１ではシーン検出及びフレームフィルタリング処理が適用される映像インデックス作成システムが開示されていて、ここでは例えば特定シーンにおいてある人物が照明をつけたり消したりしたり撮像者が瞬間的にフラッシュを対象物に当てるなどにより変化する室内照明によって生じうるキーフレームの重複を低減する工夫がなされている。
【特許文献１】米国特許６，１３７，５４４号
【発明の開示】
【発明が解決しようとする課題】
【０００７】
更に現在では、ＥＰＧ（Ｅｌｅｃｔｒｏｎｉｃ  Ｐｒｏｇｒａｍｍｉｎｇ  Ｇｕｉｄｅｓ）を適用して動作（通常はメタデータレベルで）し、ユーザの趣向を記憶することが可能なパーソナルテレビ記録装置やエージェント技術などの装置やシステムが存在する。このような装置は何百時間ものビデオコンテンツを記憶する能力を有する。よって所望の番組を容易に見ることを可能にするためには従来のキーフレームを改善する必要がある。
【課題を解決するための手段】
【０００８】
本発明の一仕様によるビデオコンテンツの映像要約を自動作成する方法は、キーフレームを自動抽出し、ユーザの指定した早送り／巻き戻し速度に応じてキーフレーム表示速度を調整し、ビデオにおいて所定閾値時間よりも短い時間を表すキーフレームをフィルタ排除し、ビデオのシーンにおいて同等の重み付けをされた複数のキーフレームのなかから特定キーフレームを選択する工程を含む。さらにこの方法は個々のキーフレームを主要な動きをとらえる短いフレームセットに置き換える工程を含むことが可能である。なお、早送り／巻き戻し速度の指定は随意で行われ、この方法は一般の再生装置における標準の早送り／巻き戻し速度に基づいて実施されることも可能である。
【０００９】
本発明によるビデオソースのビデオコンテンツの映像要約を自動作成する方法は、
（ａ）所定の基準に基づいてビデオソースのシーンを表す複数のキーフレームを自動抽出して初期映像要約を作成するステップ、
（ｂ）前記ステップ（ａ）で抽出された前記初期映像要約のキーフレームのうちの前記ビデオソースにおける特定のシーンを表す特定グループに属するキーフレームに重み付けを行うステップ、
（ｃ）前記ビデオソースにおける特定シーンを表す特定グループに属するキーフレームのうち前記ステップ（ｂ）において高い重みが付与されたキーフレームに比べて低い重みが付与されたキーフレームをフィルタすることによって前記初期映像要約を修正し、変更映像要約を作成するステップ、及び
（ｄ）前記ビデオソースの早送り／巻き戻し速度に応じて前記変更映像要約のキーフレーム表示速度を調整するステップから構成されることが可能である。
【００１０】
また、上記方法における重み付けのステップ（ｂ）は、さらにビデオソースの特定シーンにおいて特定グループのキーフレームのそれぞれが表す相対時間に基づいて重み付けを行う工程を含むことが可能である。
【００１１】
また、上記方法は、特定グループのキーフレームのうち、ビデオソースの特定シーンにおいて所定閾値時間よりも短い時間を表すキーフレームをフィルタする工程を含むことが可能である。
【００１２】
また、キーフレーム表示速度の調整ステップ（ｄ）は、変更映像要約に早送り／巻き戻しの際の音声を提供する工程を含むことが可能である。
【００１３】
また、キーフレーム表示速度の調整ステップは、個々のキーフレームを特定シーンにおける動きをとらえた短いフレームセットに置き換える工程を含むことが可能である。
【００１４】
また、キーフレームの重み付けはユーザ特定趣向に基づいて行われることが可能である。このユーザ特定趣向はビデオソースにおける特定俳優の画像を含むことが可能である。また、このユーザ特定趣向は前記ビデオソースにおける特定俳優の動きを含むことも可能である。
【００１５】
本発明のまた別の仕様によるビデオコンテンツの映像要約を作成する方法は、ユーザがキーフレームからなるコンテンツ情報を作成し、高速においてビデオの映像要約を制御する工程を含む。例えばコンテンツの作成者は全てのフレームからどのフレームを映像要約の作成のためにキーフレームとして使用するかを指定することが可能である。この方法には様々な変形が可能であり、例えばコンテンツを特定の早送り／巻き戻し速度に対応させることが可能である。また、例えばテレビコマーシャルの製作者はこの仕様を適用し、視聴者がコマーシャルを跳ばすためにビデオを早送りした場合でもこのような視聴者に宣伝商品についての明解なメッセージが伝わるようにすることも可能である。なお、この音声はテレビ放送における別途音声トラックのうちの１つによって放送されることが可能である。
【００１６】
本発明によるビデオソースのビデオコンテンツの映像要約を作成する方法は、
（ａ）ビデオソースにおける複数のフレームをキーフレームとして指定するステップ、及び
（ｂ）前記キーフレームが所定時間表示されるように前記ビデオソースの早送り／巻き戻し速度に応じて前記ステップ（ａ）において指定されたキーフレームの表示速度を調整するステップから構成されることも可能である。
【００１７】
上記方法は更に（ｃ）前記ステップ（ａ）において指定されたキーフレームに音声部分を提供するステップを有することが可能である。この音声部分は前記指定されたキーフレームに応じてカスタマイズされた代替音声部分に相当することが可能である。
【００１８】
また、上記方法におけるステップ（ｃ）は複数の音声部分を提供する工程を含むことが可能であり、ここではこの複数の音声部分の中から前記ステップ（ｂ）で得られたキーフレームの表示速度に対応する特定音声部分が選択されうる。
【００１９】
また、ステップ（ａ）において指定されたキーフレームは宣伝を構成しうる。また、代替音声部分は、（１）指定されたキーフレームのうち宣伝を構成するキーフレームにおいて紹介される商品の記述、又は（２）指定されたキーフレームのうち宣伝を構成するキーフレームにおいて紹介される商品の名称の発音のいずれかを構成することが可能である。
【００２０】
また、上記方法におけるステップ（ａ）は映像要約にビデオソースを派生源としないユーザ作成キーフレームを少なくとも１つ提供する工程を含むことが可能である。
【００２１】
さらにこのユーザ作成キーフレームは宣伝を構成することが可能である。
【発明を実施するための最良の形態】
【００２２】
図１は本発明の一仕様を示すフローチャートである。
【００２３】
ステップ１０５では、初期映像要約を生成するためにビデオソースから複数のキーフレームが自動的に抽出される。
【００２４】
この自動抽出は、例えばブロック比較、輝度差、色差、あるいはＣＩＲ−６０１などの一般的な放送基準を適用した輝度差及び色差のマクロオブロックの作成などあらゆる一般的なビデオ抽出方法を用いて実施されることが可能である。
【００２５】
なお、ここにおいてＤｉｍｉｔｒｏｖａらによる米国特許６，１３７，５４４号を映像インデックスシステム作成方法を示す参考資料として参照により本願に挿入する。このインデックスシステムは例えばＤＣＴ（Discrete  Cosine  Transform）係数を用いた計算及びシーン検出方法において用いられる様々な閾値との比較に基づいてビデオのキーフレームを選択することによって作成されうる。さらに、セグメント表示及びこれが番組のコンテンツにどのように関連するかについて開示する２０００年７月２８日付の米国仮出願６０／２１１，４０４号“Visualization  and  Playback  of  Television  Shows  at  a  Sub-Show  Level”に基づいてＧｅｏｒｇｅ  Ｍａｒｍｍａｒｏｐｏｕｌｏｓ及びＪｏｈｎ  Ｚｉｍｍｅｒｍａｎによって出願された米国特許出願０１／０２３，８００号をも参照により本願に挿入する。
【００２６】
フレームグラバーは非圧縮状態のビデオセグメントに対して例えばインテル（登録商標）スマートビデオレコーダIIIによって適用される技術などのフレームグラビング技術を適用する。また別の方法としては、モーションＪＰＥＧ及び／又はＭＰＥＧＩ，II，IIIなどの圧縮セグメントにおいて信号がフレームパーサによって複数のフレームに分割されることも可能である。
【００２７】
また、シーン検出はマルチプロセッサ、コンピュータ、拡張ＶＣＲ、録音／再生装置、又はテレビなどによって実現されうる。インデックスは、ディスク、ファイル、テープ、ＤＶＤ，その他の記憶媒体などのメモリに記憶されるか、あるいはビデオテープソース又は放送録音テープなどの場合は同テープに書き返されることも可能である。
【００２８】
ステップ１１０では、少なくとも初期映像要約におけるビデオソースの特定シーンを表すキーフレームの集合に重み付けが実施される。例えばある映画のシーンにおいて俳優ジョン・ウェインがしゃべる場面を表すキーフレームに所定の重みが割り当てられることが可能である。しかしこの同一シーンにおいてジョン・ウェインが銃撃戦に参入する、あるいは主演女優にキスをする場面などを表す後続キーフレームがある場合にはこのキーフレームに上記第１キーフレーム以上の重みが割り当てられることが可能である。すなわちこの後続キーフレームが第１キーフレームに比べて上記シーンをより象徴するとされる場合は後続フレームにより大きな重みが付与されうる。あるビデオの特定シーンを表す際に複数のキーフレームが用いられることは大いに可能であるため、ユーザの好み／不好みに対して付加値が付与されている、あるいは大半の人々がビデオから特定のシーンを識別するために用いるキーフレームとしてどの種のキーフレームを好むかについての調査に応じて予めプログラムされるなどして調整される相対的重み付けシステムを適用し重み付けを行うことが可能である。また、選択された俳優の映像をキーフレームに用いることも可能である。
【００２９】
ステップ１１５では、初期映像要約における高い重みを有するキーフレームに対して低い重みを有するキーフレームをフィルタリングすることによって初期映像要約が修正されうる。なお、この例での重み付けはビデオの特定シーンについて実施されるが、ユーザの好みによって全てのキーフレームに対して重み付けを行うことも可能である。例えば当システムは、タイムスパンを基準にビデオシーケンスにおける比較的短期間を表すキーフレーム識別し、これらに対してはビデオシーケンスにおけるより長期間を表すキーフレームに比べて異なるまたは低めの重みを付与することも可能である。
【００３０】
しかしながら同業者には理解されるように、ある番組における部分としては例えば発砲のシーンなど比較的短時間を占める部分であっても映像要約／インデックスにとって重要な部分を構成する場合がある。
【００３１】
ステップ１２０では、変更映像要約のキーフレームの表示速度がビデオソースの早送り／巻き戻しの速度に応じて調整される。この調整は例えば典型的なビデオテープがモニタ上に画像が表示された状態で巻き戻される際の標準巻き戻し速度を基準に実施されるか、あるいはユーザによって制御されうる可変の早送り／巻き戻し速度を考慮して実施されることも可能である。
【００３２】
なお、キーフレームと共に音声を提供することも可能であり、この場合この音声は例えば番組のサウンドトラックの一部や、キーフレームによって表される番組部分の予告など（例えば最初のモノローグ、特別ゲスト、エピローグ、最終クレジットなど）であってよい。コマーシャルの場合は、例えば「フィリップス（登録商標）」などスポンサーの名称が吹き替えられ、ビデオソースが早送り／巻き戻しされている際にユーザがこの名称を聞き取ることができるようにすることが可能である。
【００３３】
さらに別の例としてキーフレームの代わりとしてその特定シーンの動きを捉えた短いフレームセットが用いられることも可能である。例えばビデオソースがスポーツ中継などである場合、特定の野球選手が打席についてようやくヒットを打つ（あるいはストライクアウトする）経過の象徴としてこの選手がボールを打つ（あるいはミスする）場面を適用することが可能である。同様に、フットボールゲームにおける勝利タッチダウン得点を表すキーフレームの代わりに、ビデオ自身あるいは生成されたシステムからのゴールに選手が走りこんでタッチダウン得点する画像が用いられることが可能である。
【００３４】
図２は本発明による方法の又別の仕様を説明する図である。この例では、キーフレームの自動抽出の代わりに、ユーザがキーフレームを選択するように設定されている。この選択は放送が録音された後、録音されている間、あるいはビデオテープやＤＶＤなどのビデオソースを再生する間などに実施されることが可能である。
【００３５】
ステップ２０５においてユーザはビデオソースから複数のフレームをキーフレームとして指定する。ユーザはこの指定を例えば番組が録音されている間あるいは録音後にこれを観ている間などに実行することが可能である。また、この指定は発売、レンタルあるいはダウンロードされるビデオテープ、ＤＶＤ，又はその他のビデオのコマーシャルエディタによって実行されることも可能である。コマーシャル設定では、視聴者に見られることを期待してスポンサーが料金を支払って提供する宣伝やその他のコマーシャルメッセージが指定されうる。
【００３６】
また、この指定はキーフレームの一部を指定する動作に相当しうる。例えばスポンサーがある番組において自らの商品が紹介される宣伝の部分を指定することができる。また、ユーザはフレームの番号によってフレームを識別することもでき、例えばフレーム８、１６，８７を番組の第１部分の映像要約を表すフレームよして選択することができる。
【００３７】
また別の例として、ユーザは単純にボタン又はポインタをクリックして特定のフレームを選択することも可能である。なお、ビデオにおける秒毎のフレーム数は大きいため、このような例では指定操作がポインタの起動された瞬間に表示されるフレームだけを抽出するように設定されていない限り、ユーザによって選択される典型的なシーケンスはマウス又はポインタをクリックしている時間だけに対応するシーケンスであってもいくつかの連続するフレームからなる。また、ユーザは選択を行う間の閲覧速度を通常速度に比べて遅くすることも可能である。
【００３８】
ステップ２１０においてユーザは映像要約／インデックスを見る際にこの映像要約／インデックスにおいてキーフレームが所定時間の表示されるようにキーフレームの表示速度を選択する。また、ビデオソースを早送り／巻き戻しする際には上記表示の時間又は内容はこの早送り／巻き戻し速度に応じて変更されることができる。
【００３９】
ステップ２１５においては、随意的ステップとして例えば数秒後に長いコマーシャルが流れるなどの場合に代替音声部分が提供されることが可能である。具体例としてはコマーシャル全体が流される代わりに紹介される商品あるいはサービスのアナウンスが提供されうる。また、この音声の変わりに端的なスローガンなどが用いられることも可能である。
【００４０】
ステップ２２０においては随意的ステップとして代替画像を提供することが可能である。例えばコマーシャル全体の代わりにソフトドリンクの宣伝である場合はこのソフトドリンクのボトルを表示する静止フレームなどを用い、車の宣伝である場合はこの車のロゴマークなどを表示するフレームなどを用いることが可能である。
【００４１】
図３は本発明の一実施形態に係るビデオを早送り／巻き戻しする間に映像要約を作成するシステムを示す。
【００４２】
典型的にはまずビデオソースが圧縮されていない状態であるか圧縮された状態であるかに応じてフレームグラバー／抽出器３０１あるいはフレームパーサ３０２によってフレームがホストプロセッサ３０３に提供される。ホストプロセッサ３０３はビデオエディタ、コンピュータ、ビデオ録音／再生装置の一部などであってよく、典型的にはシーン検出器などの形をとる重み付け検出手段３０４、及び典型的にはこの重み付け検出手段３０４から受信したフレームのうち冗長的／重みの低いフレームをフィルタするための修正手段３０５を有する。このホストプロセッサ３０３が更に有する表示速度調整手段３０６により映像要約の出力が早送り／巻き戻し速度に応じて調整され、この調整出力はビデオソースの早送り／巻き戻しの際に表示されるようビデオソース３０７に格納される。これを実現する方法としては、例えばビデオソースが早送り／巻き戻しされる間に表示されるトラックに映像要約を記録することが可能である。また、同業者であればこれ以外にもビデオソースの早送り／巻き戻しの際に映像要約を表示する方法を構想することが可能である。
【００４３】
なお、同業者であれば本発明による実施例から様々な変形例を構想することが可能であるが、これらはすべて本発明の範囲に含まれる。例えばフレーム抽出、フレームの重み付け、フィルタリング、表示速度の調整などの機能に変更を施すことが可能であるがこのような変更は本発明の範囲を逸脱するものではない。
【図面の簡単な説明】
【００４４】
【図１】本発明の一仕様によるキーフレームの自動抽出を適用する方法を説明するフローチャートである。
【図２】本発明の一仕様によるユーザがキーフレームを指定する方法を説明するフローチャートである。
【図３】本発明によるビデオが早送り／巻き戻しされる際に表示される映像要約を作成するシステムの一例を示す図である。
【図１】
2005518123.tif 000003
【図２】
2005518123.tif 000004
【図３】
2005518123.tif 000005
【国際調査報告】
2005518123.tif 000006
2005518123.tif 000007
2005518123.tif 000008